(57)【要約】【課題】プラグ受の接続端子を傷めないで作業性よく組立てられるようにする。【解決手段】器体１の胴部２と底部材３とを相互の周壁２ａ、３ａ間で接続して器体１の周壁４を形成し、底部材３側の周壁３ａにプラグ受５を装着し、このプラグ受５のプラグ受口５ａを器体１の側周面に開放した電気貯湯容器において、底部材３の周壁３ａのプラグ受装着部１１は底部材３の底面３ｂに開放したプラグ受挿入口１２を有し、プラグ受５はそのプラグ受挿入口１２を通じプラグ受装着部１１に底面３ｂ側から挿入して取り付けたものとすることにより、上記の目的を達成する。【選択図】  図１
2004329493.tif 000002
【特許請求の範囲】
【請求項１】
器体の胴部と底部材とを相互の周壁間で接続して器体の周壁を形成し、底部材側の周壁にプラグ受を装着し、このプラグ受のプラグ受口を器体の側周面に開放した電気貯湯容器において、
底部材の周壁のプラグ受装着部は底部材の底面に開放したプラグ受挿入口を有し、プラグ受は前記プラグ受挿入口を通じプラグ受装着部に底面側から挿入して取り付けたことを特徴とする電気貯湯容器。
【請求項２】
プラグ受の取付けは、底部材の点検穴に底面側から当てがいプラグ受挿入口を覆う蓋体のねじ止めに伴い行う請求項１に記載の電気貯湯容器。
【請求項３】
器体の周壁の下部にプラグ受を装着し、このプラグ受のプラグ受口を器体の側周面に開放した電気貯湯容器において、
器体の周壁のプラグ受装着部は器体の底面に開放したプラグ受挿入口を有し、プラグ受は前記プラグ受挿入口を通じプラグ受装着部に底面側から挿入し、器体の底面の点検穴に底面側から当てがいプラグ受挿入口を覆う蓋体のねじ止めに伴い取り付けたことを特徴とする電気貯湯容器。
【請求項４】
プラグ受の上面に、この上面に当接した器体の周壁の内側に間隙を置いて位置する防水壁を設けた請求項１〜３のいずれか１項に記載の電気貯湯容器。
【請求項５】
防水壁はプラグ受に有した接続端子の受電側端子上を覆う上部壁に設けられ、この上部壁は前記受電側端子を左右から囲う左右壁と繋がっている請求項４に記載の電気貯湯容器。
【請求項６】
プラグ受口は器体の周壁外面を覆うフランジを有している請求項１〜５のいずれか１項に記載の電気貯湯容器。
【発明の詳細な説明】
【０００１】
【発明の属する技術分野】
本発明は家庭用の電気ポットなどとして利用される電気貯湯容器に関し、詳しくは、器体の周壁下部にプラグ受を装着し、このプラグ受のプラグ受口を器体の側周面に開放した電気貯湯容器に関するものである。
【０００２】
【従来の技術】
電気貯湯容器は内容液を加熱するヒータを有し、このヒータおよび制御系に給電するためのプラグ受が設けられている。プラグ受を設けるのに、器体の底部を形成する底部材の周壁のプラグ受装着部に対して器体の軸線に直角な向きから嵌めこむ方法が知られている（例えば、特許文献１、２参照。）。また、別に、底部材のプラグ受装着部に軸線方向から装着する方法も知られている（例えば、特許文献２参照。）。
【０００３】
【特許文献１】
特開平４−２８８２９号公報（第７図）
【０００４】
【特許文献２】
特開平９−２８３２２８号公報（図３、図４）
【０００５】
【発明が解決しようとする課題】
ところで、プラグ受は器体内の電気装備との間の結線を前もって行っておき、それを組立て段階で装着しさえすればよいようにすると組立て手順が楽である。これに対し、装着し終えたプラグ受と器体内の電気装備とを結線するのでは、底部材にメンテナンス用の開口があるにせよ、狭く複雑に入り組んだ底部内での結線作業となるので組立てにくい。
【０００６】
特許文献１の第７図に記載のものは、底部材の周壁に内外に貫通したプラグ受装着部を有し、その内側から器体の軸線に直角な方向にてプラグ受を嵌め合わせ、プラグ受口を器体の側周面に向け開放するようにしている。このため、器体内の電気装備との結線をしておいたプラグ受を、組立ての最終段階となる器体を逆さに置いた状態で、プラグ受装着部に嵌め合わせることができる。しかし、嵌め合わせ方向が器体の軸線に直角なために器体を転倒させる力が働くので、これを受け止めるバックアップ作業が品質管理上必須となり作業性はまだ低い。
【０００７】
特許文献２の図３に記載されたものは、底部材の周壁に内外に貫通したプラグ受装着部を有し、その外側から器体の軸線に直角な方向にてプラグ受を嵌め合わせ、プラグ受口を器体の側周面に向け開放するようにしている。このため、プラグ受はプラグ受装着部に外側から装着した後でないと、器体内の電気装備との結線が行えないので組立ての作業性が悪い。また、結線が装着後になるので単体の底部材に対してプラグ受を先に装着しておくと、プラグ受を器体の軸線に直角な方向にて装着する作業によって器体を転倒させることは解消できる。しかし、それでは底部材を取り扱い器体の胴部と接続するまでの間に長くかつ種々な環境にさらされるので、製品の安全および機能上品質管理が特に厳しくなる接続端子を傷めやすい問題がある。これを回避するのに組立て後の底部材にプラグ受を装着するのでは器体を転倒させる力の問題が生じる。
【０００８】
特許文献２の図４に記載のものは、底部材の周壁に内外に貫通したプラグ受装着部を有し、その外側から器体の軸線方向にてプラグ受を嵌め合わせ、プラグ受口を器体の側周面に向け開放するようにしている。このため、器体を転倒させる方向の力は生じないものの、底部材の上側からの装着になるので、組立て前の底部材に対して装着する必要があるので、組立てを終えるまで底部材を取り扱い器体の胴部と接続するまでの間に長くかつ種々な環境にさらされて、製品の安全および機能上品質管理が特に厳しくなる接続端子を傷めやすい問題がある。これを回避するのに器体内の電気装備との結線を終えたプラグ受を組立て前の底部材に装着した後に、底部材の組立てを行うのでは、結線が邪魔で複雑な捌き作業を伴うので作業性が悪い。
【０００９】
本発明の主たる目的は、プラグ受の接続端子を傷めないで作業性よく組立てられる電気貯湯容器を提供することにあり、さらなる目的は器体の周壁の内面を伝い落ちる侵入水に対する安全が図れるようにする。
【００１０】
【課題を解決するための手段】
上記の目的を達成するために、本発明の電気貯湯容器は、器体の胴部と底部材とを相互の周壁間で接続して器体の周壁を形成し、底部材側の周壁にプラグ受を装着し、このプラグ受のプラグ受口を器体の側周面に開放した電気貯湯容器において、底部材の周壁のプラグ受装着部は底部材の底面に開放したプラグ受挿入口を有し、プラグ受は前記プラグ受挿入口を通じプラグ受装着部に底面側から挿入して取り付けたことを１つの特徴としている。
【００１１】
このような構成では、底部材の周壁のプラグ受装着部が底部材の底面に開放したプラグ受挿入口を有していて、このプラグ受挿入口を通じてプラグ受を底面側から挿入して取り付けるので、逆さにした組立て最終段階の器体における底部材に対し上方からプラグ受を挿入して取り付けられるので、器体を転倒させる力が働かず、そのような力に対するバックアップなしに単純に作業性よく、かつ、プラグ受の接続端子を傷めたりせずに組立てられる。しかも、プラグ受は器体内の電装部と予め結線してあっても、結線がよく見えるし小さなプラグ受の取り扱いによって直接的に結線を捌き位置規制できるので、プラグ受装着部に難なく挿入し作業性よく取り付けられる。
【００１２】
プラグ受の取付けは、底部材の点検穴に底面側から当てがいプラグ受入口を覆う蓋体のねじ止めに伴い行う、さらなる構成では、
プラグ受装着部に挿入したプラグ受を、底部材の点検穴に底面側から当てがいプラグ受入口を覆う蓋体のねじ止めに伴い取り付けるので、プラグ受単独の取付け作業を省略することができ、組立ての作業性がさらに高まる。
【００１３】
本発明の電気貯湯容器は、また、器体の周壁の下部にプラグ受を装着し、このプラグ受のプラグ受口を器体の側周面に開放した電気貯湯容器において、器体の周壁のプラグ受装着部は器体の底面に開放したプラグ受挿入口を有し、プラグ受は前記プラグ受挿入口を通じプラグ受装着部に底面側から挿入し、器体の底面の点検穴に底面側から当てがいプラグ受挿入口を覆う蓋体のねじ止めに伴い取り付けたことを他の特徴としている。
【００１４】
このような構成では、器体の周壁のプラグ受装着部が器体の底面に開放したプラグ受挿入口を有していて、このプラグ受挿入口を通じてプラグ受を底面側から挿入して取り付けるので、逆さにした組立て最終段階の器体のプラグ受装着部に対し上方からプラグ受を挿入して取り付けられるので、器体を転倒させる力が働かず、そのような力に対するバックアップなしに単純に作業性よく、かつ、プラグ受の接続端子を傷めたりせずに組立てられる。しかも、プラグ受は器体内の電装部と予め結線してあっても、結線がよく見えるし小さなプラグ受の取り扱いによって直接的に結線を捌き位置規制できるので、プラグ受装着部に難なく挿入し作業性よく取り付けられる。また、プラグ受装着部に挿入したプラグ受を、底部材の点検穴に底面側から当てがいプラグ受口を覆う蓋体のねじ止めに伴い取り付けるので、プラグ受単独の取付け作業を省略することができ、組立ての作業性がさらに高まる。
【００１５】
プラグ受の上面に、この上面に当接した器体の周壁の内側に間隙を置いて位置する防水壁を設けた、さらなる構成では、
器体の周壁の内面を侵入水が伝い落ちプラグ受の上面にまで達するようなことがあっても、この上面に達した侵入水は防水壁と器体の周壁との間の間隙に沿って左右方向に案内し、侵入水がプラグ受の左右側面へと流れるようにするので、侵入水がプラグ受に有した接続端子の器体内に露出している給電側端子部に流れて漏電や短絡に繋がるようなことを防止することができる。
【００１６】
防水壁はプラグ受に有した接続端子の受電側端子上を覆う上部壁に設けられ、この上部壁は前記受電側端子を左右から囲う左右壁と繋がっている、さらなる構成では、
防水壁と器体の周壁との間隙に沿って左右に案内される侵入水が、プラグ受の左右両側へ流れ落ちる際に、防水壁を持った上部壁に繋がりプラグ受に有した接続端子の受電側端子を左右から囲う左右壁によって案内し、その内側の受電側端子に侵入水が及んで漏電や短絡に繋がるようなことを防止することができる。
【００１７】
プラグ受口が器体の周壁外面を覆うフランジを有している、さらなる構成では、
器体の周壁外面との境目を外部から覆い隠せるので、双方間に部分的に隙間があっても外観されないようにすることができるし、器体内の侵入水がもしそのような隙間からプラグ受の外端に及ぼうとしてもフランジが阻止し、左右へ案内するのでプラグ受のプラグ受口に達して内側の受電側端子に及んで漏電や短絡に繋がるようなことを防止することができる。また、器体の側周面を水などが伝い落ちてプラグ受に達することがあっても、フランジの形状によっては左右へ案内してプラグ受口の内側の受電側端子に及ぶのを防止することができる。
【００１８】
本発明のそれ以上の目的および特徴は、以下の詳細な説明で明らかになる。本発明の各特徴は、それ単独で、あるいは可能な限り種々な組合せで複合して採用することができる。
【００１９】
【実施例】
以下、本発明の実施例について図を参照しながら詳細に説明し、本発明の理解に供する。なお、以下の説明および図示は本発明の具体例を示すものであって、特許請求の範囲の記載内容を限定するものではない。
【００２０】
本実施例の電気貯湯容器は、家庭用の電気ポットの場合の例であり、図１〜図１３に１つの例、図１４に他の例を示している。図１〜図１３に示す例について先に説明する。器体１の金属製の胴部２と合成樹脂製の底部材３とを相互の周壁２ａ、３ａ間で接続して器体１の周壁４を形成し、底部材３側の周壁３ａにプラグ受５を装着し、このプラグ受５のプラグ受口５ａを器体１の周壁４がなす側周面に開放している。器体１は内容器６を収容し、この内容器６内の内容液を内容器６の底部に設けたヒータ７により加熱して湯沸しや保温をしながら使用に供する。内容液は図１４に示す例を参照して内容器６に接続した吐出路８を通じた遠心ポンプ９などによる吐出により利用されるようにする。もっとも、他の加圧式の電動ポンプないしはベローズポンプなどを利用した手動ポンプによる吐出、あるいは器体１を傾けての吐出のいずれかを１つ、あるいはそれら２つ以上を複合して採用してもよい。内容器６は真空二重容器としてヒータ７は一重底部に当てがい、加熱効率、保温効率共に高いものとしてあり、省エネに好適である。
【００２１】
本例における底部材３の周壁３ａに設けたプラグ受装着部１１は図３、図５〜図８に示すような底部材３の底面３ｂに開放したプラグ受挿入口１２を有している。プラグ受５は前記プラグ受挿入口１２を通じプラグ受装着部１１に底面３ｂ側から挿入して取り付けている。このように、器体１の周壁４の一部である底部材３の周壁３ａのプラグ受装着部１１が底部材３の底面３ｂに開放したプラグ受挿入口１２を有していて、このプラグ受挿入口１２を通じてプラグ受５を底面３ｂ側から挿入して取り付けるので、図３に示すように逆さにした組立て最終段階の器体１における底部材３に対し上方からプラグ受５を矢印で示す器体１の軸線方向に挿入して取り付けられる。このため、器体１を転倒させる力が働かず、そのような力に対するバックアップ作業や対策なしに単純に作業性よく、かつ、プラグ受５の給電側、受電側の各接続端子２１、２２を傷めたりせずに組立てられる。しかも、プラグ受５は図１４に示す例を参照して器体１内の電源・駆動系基板１３などの電装部と予め結線してあっても、結線がよく見えるし小さなプラグ受５の取り扱いによって直接的に結線を捌き位置規制できるので、プラグ受装着部１１にプラグ受５を難なく挿入し作業性よく取り付けられる。
【００２２】
また、プラグ受５の取付けは、図３に示すように底部材３の点検穴１４に底面３ｂ側から当てがいプラグ受挿入口１２を覆う蓋板１５のねじ１６によるねじ止めに伴い、行うようにしている。このように、プラグ受装着部１１に挿入したプラグ受５を、底部材３の点検穴１４に底面側から当てがいプラグ受挿入口１２を覆う蓋板１５のねじ止めに伴い取り付けるので、プラグ受５単独の取付け作業を省略することができ、組立ての作業性がさらに高まる。
【００２３】
また、プラグ受５の上面５ｂには、図１、図２、図１０〜図１３に示すようにその上面５ｂに当接した器体１の周壁４、具体的には胴部２の周壁２ａの内側に間隙１７を置いて位置する防水壁１８を設けてある。このようにすると、器体１の周壁４、具体的には周壁２ａの内面を侵入水が伝い落ちプラグ受５の上面５ｂにまで達するようなことがあっても、この上面５ｂに達した侵入水は防水壁１８と器体１の周壁４、具体的には周壁２ａとの間の間隙１７に沿って左右方向に案内し、侵入水がプラグ受５の左右側面へと流れるようにするので、侵入水がプラグ受５の内端部に有した図１、図９に示すような器体１内に露出している給電側端子２１部に流れて漏電や短絡に繋がるようなことを防止することができる。
【００２４】
さらに、防水壁１８はプラグ受５に有した図１、図９に示すような受電側端子２２上を図１、図２に示すように覆う上部壁５ｇに設け、この上部壁５ｇは前記受電側端子２２を左右から図９に示すように囲う左右壁５ｃ、５ｄと繋がっている。これにより、防水壁１８と器体１の周壁４、具体的には周壁２ａとの間隙１７に沿って左右に案内される侵入水が、プラグ受５の左右両側へ流れ落ちる際に、防水壁１８を持った上部壁５ｇに繋がりプラグ受５に有した受電側端子２２を左右から囲う左右壁５ｃ、５ｄによって案内し、その内側の受電側端子２２に侵入水が及んで漏電や短絡に繋がるようなことを防止することができる。なお、左右壁５ｃ、５ｄの下部は受電側端子２２の下側を覆う下部壁５ｅとも繋がっている。これによって、受電側端子２２は上下左右共に囲われ保護されている。ここで、プラグ受５は絶縁材料である合成樹脂で形成するのは勿論であるが、ＰＦなどの難燃樹脂で形成してあり、発火や火災等に対する安全性を高めている。
【００２５】
このような作用から防水壁１８はプラグ受５の少なくともプラグ受口５ａの開口幅とほぼ同じ程度以上の長さで設けるのが好適であり、プラグ受５の幅寸法と同等、あるいはそれ以上として左右壁５ｃ、５ｄから所定量張り出すようにすることができ、長さ寸法が大きいほど給電側端子２１に対する防水効果が高まる。
【００２６】
プラグ受５はまた、図１〜図３、図９〜図１３に示すように器体１の周壁４の外面を覆うフランジ５ｆを有している。これにより、器体１の周壁４外面、具体的には互いに接続された周壁２ａ、３ａどうしが形成する外面との境目を外部から覆い隠せるので、双方間に部分的に隙間があっても外観されないようにすることができる。同時に、器体１内の侵入水がもしそのような隙間からプラグ受５の外端に及ぼうとしてもフランジ５ｆがそれを阻止し左右へ案内する。このため、侵入水がプラグ受５のプラグ受口５ａに達して内側の受電側端子２２に及んで漏電や短絡に繋がるようなことを防止することができる。また、器体１の側周面を水などが伝い落ちてプラグ受５に達することがあっても、フランジ５ｆの厚さ方向や長さ方向の形状によっては左右へ案内してプラグ受口５ａの内側の受電側端子２２に及ぶのを防止することができる。
【００２７】
さらに、具体的には、底部材３は図３に示すように円形な点検穴１４のまわりに器体１の横断面形状に見合った輪郭を持った環状な形態をなし、プラグ受装着部１１はそのような底部材３の環状な形態を底面３ｂ側で横断するように窪んで、底面３ｂへプラグ受挿入口１２が開放するように形成してあり、プラグ受５を底面３ｂ側から挿入すると、そのプラグ受口５ａは器体１の側周面に開放されて図１、図９に示すようにプラグ２３を受入て電気的な接続が行われるようにしている。このような電気的接続のために、プラグ受５には磁性板２４が設けられ、プラグ２３の側には図示しないマグネットと磁気結合した一対の磁性板２５が設けられ、互いが磁気吸着して電気的接続状態を保つようにしてある。
【００２８】
プラグ受５をプラグ受装着部１１の所定位置に安定して位置ずれなく、かつ容易に挿入できるように、プラグ受装着部１１には底面３ｂ側から上に向かって前部側へ狭くなる図１〜図３、図７、図８に示すような側壁２６を設けてプラグ受５を左右から案内できるようにするとともに、この側壁２６の対向し合う内側面にはプラグ受５の挿入を案内するガイドレール２７を設けてあり、プラグ受５の左右壁５ｃ、５ｄの外面に形成した溝２８を嵌め合わせることによって内外方向で見た所定位置に挿入できるようにしてある。また、溝２８はその入口部にテーパ状の拡幅部２８ａを設けてガイドレール２７と難なく嵌め合せて以降ガタツキなく案内し、前記内外方向で見た位置精度を高めている。また、図１〜図３、図９〜図１３に示すように溝２８の終端部には突き当たり壁２８ｂを設けてこれがガイドレール２７の端部に当接することによって、挿入方向の位置決めができるようにしている。
【００２９】
底部材３の蓋板１５を当てがう部分は図３に示すような上向きに窪んだ段部２９をなしていて、その立上がり周壁２９ａには底部材３の最外周にある最低位部からの水抜き穴３１が形成されている。これに対応して、蓋板１５には図３に示すように段部２９に嵌り合う外径と形状を有した外周部に、前記水抜き穴３１に嵌り合う２つの爪片１５ａと、段部２９から外方へ拡張して設けられてねじ止め部２９ｂに嵌り合うねじ止め片１５ｂと、前記プラグ受装着部１１のプラグ受挿入口１２を覆う覆い片１５ｃとが形成されている。これらによって、蓋板１５は２つの爪片１５ａを対応する２つの水抜き穴３１に嵌め合せて、ねじ止め片１５ｂをねじ止め部２９ｂにねじ１６によりねじ止めするだけで底部材３の点検穴１４を覆う状態に取り付けることができ、この取り付け状態で覆い片１５ｃがプラグ受装着部１１のプラグ受挿入口１２を覆い、プラグ受装着部１１に挿入したプラグ受５を抜け止め、ないしは外れ止めすることができ、既述したように挿入したプラグ受５を独自に取り付ける作業は不要である。また、覆い片１５ｃがプラグ受挿入口１２を閉じ、かつプラグ受５を覆っている構造は、プラグ受５を器体１の下方からの侵入水に対する防水ともなり、器体１が水中に落とされたりしたとき特に有効である。
【００３０】
もっとも、プラグ受装着部１１は図１〜図３、図７、図８に示すように、挿入されたプラグ受５と弾性係合して挿入位置に係止する樹脂ばね特性を利用した抜け止めフック３２を設けてあり、これによって抜け止めおよび脱落防止を図っている。従って、蓋板１５の覆い片１５ｃにより覆って取り付けを終えているのは、実質的には外観を整え、またフック３２が折損したような場合にプラグ受５が不用意に抜けたり、脱落したりするのを防止する程度になっている。しかし、フック３２による係止構造を省略して、蓋板１５の覆い片１５ｃを、プラグ受装着部１１に挿入したプラグ受５に図１で示すように当接ないしは圧接させて、抜け止めや外れ止めをするようにもできる。図示する例では蓋板１５の覆い片１５ｃの直ぐ横に前記爪片１５ａがあって、これが水抜き穴３１と係合することにより覆い片１５ｃの近くで蓋板１５の段部２９からの浮き上がりを防止するので、プラグ受５の抜け止めに用いて好適である。これに代えて蓋板１５のねじ止め部を覆い片１５ｃの直ぐ横の位置を選択すると、浮き上がり防止、プラグ受抜け止めにより好適である。なお、フック３２による係止と、覆い片１５ｃによる抜け止めとを共用して取付けのより安全を図ることもできる。この場合、フック３２による係止は挿入したプラグ受５を蓋板１５により取り付けるまでの仮固定の役目として組立ての作業性をよくするのに用いることができる。
【００３１】
底部材３はその周壁３ａと器体１の胴部２の周壁２ａと接続するのに、周壁３ａの外周に周壁２ａの下端部を嵌合させて、周壁３ａの上部の段部３３に周壁２ａの下端に形成した縁巻部３４を受け止め、器体１の図示しない合成樹脂製の肩部と底部材３との間に胴部２を上下に挟み付けることにより器体１を構成している。この挟付けは通常、器体の肩部の開口に内容器６をその外向きのフランジ部を受けて吊り下げ、内容器６の底部と底部材３とを連結することにより行われる。
【００３２】
底部材３は上記したようにプラグ受装着部１１が底面３ｂ側から、環状部を横断しており、胴部２との接続によっても十分な強度を得にくい。そこで、図４〜図６に示すようにプラグ受装着部１１の上部は底部材３が周方向に途切れないための連続壁３５を有し、この連続壁３５に前記フック３２を設けてある。挿入したプラグ受５が連続壁３５に当接するのとほぼ同時にフック３２がプラグ受５の背面段部３６に弾性係合して仮固定などするようにしている。また、底部材３のプラグ受装着部１１が設けられている部分の左右両側間をチャンネル型断面をした橋渡し部３７により連結して補強し、しかも、この橋渡し部３７のほぼ中央位置から底部材の後部の中央部分とをチャンネル型断面をした橋渡し部３８により連結して補強している。なお、プラグ受装着部１１は底部材３の後部の左右一方に偏って位置し、互いがＴ字形状となった前記橋渡し部３７、３８と底部材３との連結部とはおのおの異なった位置にあって邪魔し合わないようにしている。
【００３３】
また、プラグ受５の上面５ｂに器体１の周壁４を形成している胴部２の周壁２ａが突き合わせ状態に当接する状態は、プラグ受装着部１１が底部材３と胴部２との周壁２ａ、３ａどうしが底部材３の段部３３よりも上方に突出させて得ている。具体的には、前記連続壁３５を段部３３から門型に上方へ突出させてプラグ受５を段部３３よりも上方に突出する位置にて、その防水壁１８よりも後側で受止めながら、プラグ受５の防水壁１８から前記間隙１７を隔てた外側部分を、胴部２の周壁２ａの下端から切り込んだ切込み部４０に嵌め合せて、周壁２ａがプラグ受５の上面５ｂに突合せ状態に当接し、かつ、プラグ受５の左右壁５ｃ、５ｄが切込み部４０の両側縁と接し合うようにしている。
【００３４】
また、底部材３の段部２９を持った内側の周壁３ｃと段部３３を持った外側の周壁３ａとの間の周方向各部には放射状に配列されたリブ４１を形成してあって、前記橋渡し部３７、３８とともに底部材３の合成を高めている。橋渡し部３７と底部材３との連結部にはさらに図６に示すようにリブが複数のボックス型に集中して走った集中補強部４２を設け、この集中補強部４２のほぼ中央位置に図５、図６に示すような筒型の連結部４３を形成して、内容器６と強度不足なく強固に連結されるようにしている。
【００３５】
図１４に示す例は、器体１の周壁４の下部にプラグ受５を装着し、このプラグ受５のプラグ受口５ａを器体１の側周面に開放した電気ポットにおいて、器体１の周壁４のプラグ受装着部１１は器体１の底面に開放したプラグ受挿入口１２を有し、プラグ受５はそのプラグ受挿入口１２を通じプラグ受装着部１１に底面側から挿入し、器体１の底部材３がなす底面３ｂの点検穴１４に底面３ｂ側から当てがいプラグ受挿入口１２を覆う蓋板１５の先の例で示したねじ１６によるねじ止めに伴い取り付けており、器体１の胴部２と底部５１とを合成樹脂にて一体形成し、胴部２の周壁２ａの全体が器体１の周壁４を形成するようにしている。これによって、プラグ受５の上面５ｂには胴部２が形成する周壁２ａがその下端からの切込み部４０での嵌め合わせ部にて突合せ状態に当接している。
【００３６】
このように、器体１の周壁４、具体的には胴部２の周壁２ａのプラグ受装着部１１が器体１の底面３ｂに開放したプラグ受挿入口１２を有していて、このプラグ受挿入口１２を通じてプラグ受５を底面３ｂ側から挿入して取り付けるので、逆さにした組立て最終段階の器体１のプラグ受装着部１１に対し上方からプラグ受５を挿入して取り付けられるので、器体１を転倒させる力が働かず、そのような力に対するバックアップなしに単純に作業性よく、かつ、プラグ受５の接続端子を傷めたりせずに組立てられる。しかも、プラグ受５は器体１内の電装部と予め結線してあっても、結線がよく見えるし小さなプラグ受５の取り扱いによって直接的に結線を捌き位置規制できるので、プラグ受装着部１１に難なく挿入し作業性よく取り付けられる。また、プラグ受装着部１１に挿入したプラグ受５を、底部の点検穴に底面３ｂ側から当てがいプラグ受挿入口１２を覆う蓋板１５の先の例で示すようなねじ止めに伴い取り付けるので、プラグ受５単独の取付け作業を省略することができ、組立ての作業性がさらに高まる。
【００３７】
本例では特に、底部５１と胴部２とが一体形成されているので、先の例の場合よりは底部の剛性を得やすいし、器体１の構造が簡略化するので、コストの低減が図れる。他の構成は先の例とほぼ同じであり奏する作用効果も特に変わるところはないので、共通する部材には同一の符号を付し、重複する説明は省略する。
【００３８】
【発明の効果】
本発明の１つの特徴の電気貯湯容器によれば、底部材の周壁のプラグ受装着部が底部材の底面に開放したプラグ受挿入口を有していて、このプラグ受挿入口を通じてプラグ受を底面側から挿入して取り付けるので、逆さにした組立て最終段階の器体における底部材に対し上方からプラグ受を挿入して取り付けられるので、器体を転倒させる力が働かず、そのような力に対するバックアップなしに単純に作業性よく、かつ、プラグ受の接続端子を傷めたりせずに組立てられる。しかも、プラグ受は器体内の電装部と予め結線してあっても、結線がよく見えるし小さなプラグ受の取り扱いによって直接的に結線を捌き位置規制できるので、プラグ受装着部に難なく挿入し作業性よく取り付けられる。
【００３９】
プラグ受の取付けは、底部材の点検穴に底面側から当てがいプラグ受挿入口を覆う蓋体のねじ止めに伴い行う、さらなる構成によれば、
プラグ受装着部に挿入したプラグ受を、底部材の点検穴に底面側から当てがいプラグ受口を覆う蓋体のねじ止めに伴い取り付けるので、プラグ受単独の取付け作業を省略することができ、組立ての作業性がさらに高まる。
【００４０】
本発明の他の特徴の電気貯湯容器によれば、器体の周壁のプラグ受装着部が器体の底面に開放したプラグ受挿入口を有していて、このプラグ受挿入口を通じてプラグ受を底面側から挿入して取り付けるので、逆さにした組立て最終段階の器体のプラグ受装着部に対し上方からプラグ受を挿入して取り付けられるので、器体を転倒させる力が働かず、そのような力に対するバックアップなしに単純に作業性よく、かつ、プラグ受の接続端子を傷めたりせずに組立てられる。しかも、プラグ受は器体内の電装部と予め結線してあっても、結線がよく見えるし小さなプラグ受の取り扱いによって直接的に結線を捌き位置規制できるので、プラグ受装着部に難なく挿入し作業性よく取り付けられる。また、プラグ受装着部に挿入したプラグ受を、底部材の点検穴に底面側から当てがいプラグ受口を覆う蓋体のねじ止めに伴い取り付けるので、プラグ受単独の取付け作業を省略することができ、組立ての作業性がさらに高まる。
【００４１】
プラグ受の上面に、この上面に当接した器体の周壁の内側に間隙を置いて位置する防水壁を設けた、さらなる構成によれば、
器体の周壁の内面を侵入水が伝い落ちプラグ受の上面にまで達するようなことがあっても、この上面に達した侵入水は防水壁と器体の周壁との間の間隙に沿って左右方向に案内し、侵入水がプラグ受の左右側面へと流れるようにするので、侵入水がプラグ受に有した接続端子の器体内に露出している給電側端子部に流れて漏電や短絡に繋がるようなことを防止することができる。
【００４２】
防水壁がプラグ受に有した接続端子の受電側端子上を覆う上部壁に設けられ、この上部壁は前記受電側端子を左右から囲う左右壁と繋がっている、さらなる構成によれば、
防水壁と器体の周壁との間隙に沿って左右に案内される侵入水が、プラグ受の左右両側へ流れ落ちる際に、防水壁を持った上部壁に繋がりプラグ受に有した接続端子の受電側端子を左右から囲う左右壁によって案内し、その内側の受電側端子に侵入水が及んで漏電や短絡に繋がるようなことを防止することができる。
【００４３】
プラグ受口が器体の周壁外面を覆うフランジを有している、さらなる構成によれば、
器体の周壁外面との境目を外部から覆い隠せるので、双方間に部分的に隙間があっても外観されないようにすることができるし、器体内の侵入水がもしそのような隙間からプラグ受の外端に及ぼうとしてもフランジが阻止し、左右へ案内するのでプラグ受のプラグ受口に達して内側の受電側端子に及んで漏電や短絡に繋がるようなことを防止することができる。また、器体の側周面を水などが伝い落ちてプラグ受に達することがあっても、フランジの形状によっては左右へ案内してプラグ受口の内側の受電側端子に及ぶのを防止することができる。
【図面の簡単な説明】
【図１】本発明の電気貯湯容器の実施例に係る電気ポットの１つの例を示す一部の断面図である。
【図２】図１の電気ポットの要部の斜視図である。
【図３】図１の電気ポットの分解斜視図である。
【図４】図１に示す電気ポットにおける底部材の断面図である。
【図５】図４に示す底部材の下面図である。
【図６】図４に示す底部材の上面図である。
【図７】図４に示す底部材がなす器体の周壁部に設けたプラグ受装着部の正面図である。
【図８】図７に示すプラグ受装着部の断面図である。
【図９】図１に示すプラグ受の横断面図である。
【図１０】図１、図９に示すプラグ受の側面図である。
【図１１】図１、図９に示すプラグ受の上面図である。
【図１２】図１、図９に示すプラグ受の内側から見た斜視図である。
【図１３】図１、図９に示すプラグ受の外側から見た斜視図である。
【図１４】本発明の電気貯湯容器の実施例に係る電気ポットの他の例を示す一部の断面図である。
【符号の説明】
１  器体
１ｂ  底部
２  胴部
２ａ、３ａ、４  周壁
３  底部材
３ｂ  底面
５  プラグ受
５ａ  プラグ受口
５ｂ  上面
５ｃ、５ｄ  左右壁
５ｅ  下部壁
５ｆ  フランジ
５ｇ  上部壁
６  内容器
７  ヒータ
８  導出路
９  遠心ポンプ
１１  プラグ受装着部
１２  プラグ受挿入口
１４  点検穴
１５  蓋板
１５ａ  爪片
１５ｂ  ねじ止め片
１５ｃ  覆い片
１６  ねじ
２１、２２  接続端子（給電側端子、受電側端子）
２９  段部
３１  水抜き穴
３２  フック
５１  底部
【図１】
2004329493.tif 000003
【図２】
2004329493.tif 000004
【図３】
2004329493.tif 000005
【図４】
2004329493.tif 000006
【図５】
2004329493.tif 000007
【図６】
2004329493.tif 000008
【図７】
2004329493.tif 000009
【図８】
2004329493.tif 000010
【図９】
2004329493.tif 000011
【図１０】
2004329493.tif 000012
【図１１】
2004329493.tif 000013
【図１２】
2004329493.tif 000014
【図１３】
2004329493.tif 000015
【図１４】
2004329493.tif 000016